(57)【要約】      （修正有）【課題】無線基地局装置の構成データ設定方法、無線基地局制御装置及び無線基地局装置に関し、無線基地局装置の増設等における回線開設のための機器識別情報や運用データの設定を簡易な手段で自動的に行う。【解決手段】無線基地局制御装置３は、無線基地局装置１に工場出荷時に一律に設定されるＩＰアドレス３１を用いてｐｉｎｇ又はＡＲＰリクエストを繰り返し送信する。工場出荷時のＩＰアドレス１１が設定された無線基地局装置１は、上記ｐｉｎｇ又はＡＲＰリクエストを受信したとき、その応答を無線基地局制御装置３に返送する。無線基地局制御装置３は、該応答を返送した無線基地局装置１に対して認証処理を行い、該認証の成立を確認した後、無線基地局装置１に対して、アドレス空塞管理表３３の中から未使用の個別のＩＰアドレス及びＭＡＣアドレスを抽出し、該アドレスと回線開設の構成データ３４とを無線基地局装置１にダウンロードする。【選択図】図１
2010124265.tif 000002
【特許請求の範囲】
【請求項１】
無線基地局制御装置にアクセス・サービス・ネットワークを介して接続される基地局装置の構成データ設定方法において、
前記無線基地局制御装置が、前記無線基地局装置に工場出荷時に一律に設定されるＩＰアドレスを用いてｐｉｎｇコマンド又はＡＲＰリクエストコマンドを繰り返し送信する第１のステップと、
前記工場出荷時のＩＰアドレスが設定された前記無線基地局装置が、前記第１のステップにより送信されたｐｉｎｇコマンド又はＡＲＰリクエストコマンドを受信したとき、該ｐｉｎｇコマンド又はＡＲＰリクエストコマンドに対する応答を、前記無線基地局制御装置に返送する第２のステップと、
前記無線基地局制御装置が、前記第２のステップによる応答を受信したとき、該応答を返送した前記無線基地局装置に対して認証処理を行う第３のステップと、
前記無線基地局装置が、前記第３のステップによる認証の成立を確認した後、前記無線基地局装置に対して、個別のＩＰアドレス及びＭＡＣアドレスの設定情報並びに回線開設の構成データを送信する第４のステップと、
を含むことを特徴とする構成データ設定方法。
【請求項２】
アクセス・サービス・ネットワークを介して接続される基地局装置に対して、回線開設の構成データを設定する無線基地局制御装置であって、
前記無線基地局装置に工場出荷時に一律に設定されるＩＰアドレスを用いてｐｉｎｇコマンド又はＡＲＰリクエストコマンドを繰り返し送信する第１の手段と、
前記工場出荷時のＩＰアドレスが設定された前記無線基地局装置から、前記ｐｉｎｇコマンド又はＡＲＰリクエストコマンドに対する応答を受信した後、前記無線基地局装置に対して認証処理を行う第２の手段と、
前記無線基地局装置に対する認証の成立を確認した後、該無線基地局装置に対して、個別のＩＰアドレス及びＭＡＣアドレスの設定情報並びに回線開設の構成データを送信する第３の手段と、
を備えたことを特徴とする無線基地局制御装置。
【請求項３】
無線基地局制御装置にアクセス・サービス・ネットワークを介して接続される基地局装置において、
工場出荷時に一律に設定されたＩＰアドレスを宛て先とし、前記無線基地局制御装置から繰り返し送信されるｐｉｎｇコマンド又はＡＲＰリクエストコマンドを受信したとき、該ｐｉｎｇコマンド又はＡＲＰリクエストコマンドに対する応答を、前記無線基地局制御装置に返送する第１の手段と、
前記無線基地局制御装置からの認証要求のメッセージに対して、認証応答のメッセージを返送する第２の手段と、
前記無線基地局装置から送信される個別のＩＰアドレス及びＭＡＣアドレスの設定情報並びに回線開設の構成データを受信し、運用データとして設定する第３の手段と、
を備えたことを特徴とする無線基地局装置。
【請求項４】
請求項１に記載の構成データ設定方法において、前記第１のステップにより繰り返し送信するｐｉｎｇコマンド又はＡＲＰリクエストコマンドを、所定の時間帯にのみ送信するよう設定するステップを含むことを特徴とする構成データ設定方法。
【請求項５】
請求項１に記載の構成データ設定方法において、前記無線基地局制御装置が、前記第４のステップにより設定した個別のＩＰアドレスを用いてｐｉｎｇコマンドを繰り返し送信する第５のステップと、
前記第５のステップにより送信したｐｉｎｇコマンドに対する応答が、所定時間受信されないとき、前記無線基地局制御装置が、前記第４のステップにより設定した個別のＩＰアドレスを未使用状態に書き替える第６のステップと、
前記無線基地局装置が、前記第５のステップによるｐｉｎｇコマンドに対する応答を返送することができないとき、前記第４のステップにより設定された個別のＩＰアドレス及びＭＡＣアドレスを、前記工場出荷時のＩＰアドレス及びＭＡＣに書き替える第７のステップと、
を含むことを特徴とする構成データ設定方法。
【請求項６】
請求項１に記載の構成データ設定方法において、前記無線基地局制御装置が、前記第４のステップにより設定した個別のＩＰアドレスを用いてｐｉｎｇコマンドを繰り返し送信する第５のステップと、
前記無線基地局制御装置が、前記第５のステップにより送信したｐｉｎｇコマンドに対する応答が受信されない不応答回数を計数し、該不応答回数が所定の閾値を超えた後に、該ｐｉｎｇコマンドに対する応答が受信されたとき、前記工場出荷時のＩＰアドレス及びＭＡＣアドレスを設定したアドレス初期化要求メッセージを、前記無線基地局装置に送信する第６のステップと、
前記無線基地局装置が、前記アドレス初期化要求メッセージ内のＩＰアドレス及びＭＡＣアドレスを用いて自装置内の設定データを初期化する第７のステップと、
を含むことを特徴とする構成データ設定方法。
【発明の詳細な説明】
【技術分野】
【０００１】
本発明は、無線基地局装置の構成データ設定方法、無線基地局制御装置及び無線基地局装置に関し、例えば地域ＷｉＭＡＸシステムの無線基地局やフェムトセル基地局等のような超小型の無線基地局装置とそれを制御する無線基地局制御装置とを含むネットワークにおいて、無線基地局装置の増設又は減設に伴う回線開設のための運用データの設定に関わるものである。
【背景技術】
【０００２】
図１３に無線基地局と無線基地局制御装置とを含むネットワークの概要を示す。無線基地局制御装置（ＡＮＳ−ＧＷ）３は、アクセス・サービス・ネットワーク（ＡＳＮ）２を介して多数の無線基地局装置（ＢＳ）１＃１，＃２と接続され、多数の無線基地局装置（ＢＳ）１＃１，＃２に対して制御を行い、無線基地局装置（ＢＳ）１＃１，＃２を介する回線接続を管理する。
【０００３】
また、無線基地局制御装置（ＡＮＳ−ＧＷ）３は、上位のコア・サービス・ネットワーク（ＣＮＳ）４を介して、ホームエージェント５、認証サーバ６及びサービスプロバイダ装置７等に接続される。これらのネットワーク構成により、加入者端末８に対する移動通信サービスを供する。
【０００４】
無線基地局制御装置（ＡＮＳ−ＧＷ）３には、無線基地局装置（ＢＳ）１が増設されたり減設されたりする。図１４には、無線基地局装置（ＢＳ）１＃１，＃２が接続された無線基地局制御装置（ＡＮＳ−ＧＷ）３に、新たに無線基地局装置（ＢＳ）１＃３が増設された例を示している。
【０００５】
無線基地局装置（ＢＳ）１＃３が新たに無線基地局制御装置（ＡＮＳ−ＧＷ）３に接続されたとき、無線基地局制御装置（ＡＮＳ−ＧＷ）３及び無線基地局装置（ＢＳ）１＃３に対して、無線基地局装置（ＢＳ）１＃３による回線開設の運用開始のために必要な構成データを設定する必要がある。また、無線基地局装置（ＢＳ）１＃３が無線基地局制御装置（ＡＮＳ−ＧＷ）３から切り離され減設された場合も同様に構成データを変更する必要がある。
【０００６】
この構成データの設定・変更は、一般に保守管理（Ｏ＆Ｍ）端末９等を用いて専門の保守要員等により行われるが、無線基地局装置（ＢＳ）１の増設時や新設時における局情報の自動設定等については、例えば下記の特許文献等により種々提案されている。従来の局情報の自動設定は、無線基地局装置（ＢＳ）１に機器識別情報が予め設定され、或いは無線基地局装置（ＢＳ）１自身がＤＨＣＰ（Dynamic Host Configuration Protocol）サーバからＩＰアドレス等の機器識別情報を取得する機能を具備していることを前提としている。
【特許文献１】特開平６−２６１３６２号公報
【特許文献２】特開２００８−２８８９２号公報
【発明の開示】
【発明が解決しようとする課題】
【０００７】
本発明は、無線基地局装置（ＢＳ）１を無線基地局制御装置（ＡＮＳ−ＧＷ）３に新たに接続して増設する場合など、回線開設の運用状態を変更する際に、専門の保守要員による構成データの設定や変更の作業を伴うことなく、無線基地局装置（ＢＳ）１に対する機器識別情報の設定から運用状態の設定までを簡易な手段で自動的に行い、保守運用コストを削減することを目的とする。
【課題を解決するための手段】
【０００８】
上記課題を解決する第１の形態としての無線基地局装置の構成データ設定方法は、無線基地局制御装置が、無線基地局装置に工場出荷時に一律に設定されるＩＰアドレスを用いてｐｉｎｇコマンド又はＡＲＰリクエストコマンドを繰り返し送信する第１のステップと、前記工場出荷時のＩＰアドレスが設定された前記無線基地局装置が、前記第１のステップにより送信されたｐｉｎｇコマンド又はＡＲＰリクエストコマンドを受信したとき、該ｐｉｎｇコマンド又はＡＲＰリクエストコマンドに対する応答を、前記無線基地局制御装置に返送する第２のステップと、前記無線基地局制御装置が、前記第２のステップによる応答を受信したとき、該応答を返送した前記無線基地局装置に対して認証処理を行う第３のステップと、前記無線基地局装置が、前記第３のステップによる認証の成立を確認した後、前記無線基地局装置に対して、個別のＩＰアドレス及びＭＡＣアドレスの設定情報並びに回線開設の構成データを送信する第４のステップと、を含むものである。
【０００９】
また、第２の形態としての無線基地局制御装置は、無線基地局装置に工場出荷時に一律に設定されるＩＰアドレスを用いてｐｉｎｇコマンド又はＡＲＰリクエストコマンドを繰り返し送信する第１の手段と、前記工場出荷時のＩＰアドレスが設定された前記無線基地局装置から、前記ｐｉｎｇコマンド又はＡＲＰリクエストコマンドに対する応答を受信した後、前記無線基地局装置に対して認証処理を行う第２の手段と、前記無線基地局装置に対する認証の成立を確認した後、該無線基地局装置に対して、個別のＩＰアドレス及びＭＡＣアドレスの設定情報並びに回線開設の構成データを送信する第３の手段と、を備えたものである。
【００１０】
また、第３の形態としての無線基地局装置は、工場出荷時に一律に設定されたＩＰアドレスを宛て先とし、無線基地局制御装置から繰り返し送信されるｐｉｎｇコマンド又はＡＲＰリクエストコマンドを受信したとき、該ｐｉｎｇコマンド又はＡＲＰリクエストコマンドに対する応答を、前記無線基地局制御装置に返送する第１の手段と、前記無線基地局制御装置からの認証要求のメッセージに対して、認証応答のメッセージを返送する第２の手段と、前記無線基地局装置から送信される個別のＩＰアドレス及びＭＡＣアドレスの設定情報並びに回線開設の構成データを受信し、運用データとして設定する第３の手段と、を備えたものである。
【発明の効果】
【００１１】
無線基地局装置を無線基地局制御装置に新たに接続して増設する場合など、回線開設の運用状態を変更する際に、専門の保守要員による構成データの設定や変更の作業を伴うことなく、無線基地局装置に対する機器識別情報としてのＩＰアドレス及びＭＡＣアドレスの設定から運用データの設定までが、簡易な手段で自動的に行うことができ、保守運用コストを削減することができる。また、保守者等による人為的な操作が介在することなく、機器識別情報及び構成データの設定が行われるため、不正な基地局装置が接続されたりすることを防ぐことができる。
【発明を実施するための最良の形態】
【００１２】
第１の実施形態の無線基地局装置及び無線基地局制御装置のデータ構成例を図１に示す。各無線基地局装置１には、全無線基地局装置に共通のＩＰアドレス及びＭＡＣアドレス１１が工場出荷時に記憶部に設定しておく。ここで、工場出荷時のＩＰアドレス及びＭＡＣアドレスの一例として、192.168.xxx.yyy及び00-vv-ww-xx-yy-zzが設定されているものとする。
【００１３】
無線基地局装置１は、アクセス・サービス・ネットワーク（ＡＳＮ）２に接続されたとき、無線基地局制御装置３からのダウンロードにより付与される自装置固有の個別のＩＰアドレス及びＭＡＣアドレス１２を記憶部に格納する。また、無線基地局制御装置３からダウンロードされる運用開始に必要な構成データ１３を無線基地局設定情報として記憶部に格納する。
【００１４】
無線基地局制御装置３は、各無線基地局装置１に工場出荷時に一律に設定されるＩＰアドレス３１及びＭＡＣアドレス３２を記憶部に保持し、また、制御対象の無線基地局装置１に付与する個別のＩＰアドレス及びＭＡＣアドレスを基地局識別番号（ＢＳ−ＩＤ）と共に格納したアドレス空塞管理表３３を保持する。
【００１５】
アドレス空塞管理表３３には、無線基地局制御装置３で管理制御する配下の各基地局装置１に付与するＩＰアドレス及びＭＡＣアドレスを組にして格納し、かつ、該ＩＰアドレス及びＭＡＣアドレスの組を無線基地局装置１に付与して使用中（塞）状態であるか、未使用（空）状態であるかを示す空塞状態の情報を格納する。これらの情報は、配下の無線基地局装置の最大数（ＭＡＸ値）までの個数分を格納する。更に、各無線基地局装置に対する回線開設のための基地局設定情報である構成（ＢＳｃｏｎｆｉｇ）データ３４を保有する。
【００１６】
図２に第１の実施形態における処理シーケンスを示す。無線基地局制御装置３は、工場出荷時に各無線基地局装置１に設定される共通のＩＰアドレス３１を用いて、ｐｉｎｇコマンドを繰り返し送信する（Ｓ２−１）。既存の無線基地局装置１＃１，＃２には、無線基地局制御装置３との接続完了後に、個別のＩＰアドレスが付与されているため、該ｐｉｎｇコマンドには応答せず、該ｐｉｎｇコマンドを破棄する。
【００１７】
新たに増設される無線基地局装置１＃３は、アクセス・サービス・ネットワーク（ＡＳＮ）２に接続されたとき、無線基地局制御装置３からのｐｉｎｇコマンドを受信し、該ｐｉｎｇコマンドに対してｐｉｎｇ応答を無線基地局制御装置３に返送する（Ｓ２−２）。
【００１８】
無線基地局装置１＃３からｐｉｎｇ応答を受信した無線基地局制御装置３は、工場出荷時の基地局ＩＰアドレス３１を用い、無線基地局装置１＃３に対して認証要求メッセージを送信する（Ｓ２−３）。無線基地局装置１＃３は、該認証要求メッセージに対して、工場出荷時に設定されたＭＡＣアドレスを設定した認証応答メッセージを無線基地局制御装置３に返送する（Ｓ２−４）。
【００１９】
無線基地局制御装置３は、返送された認証応答メッセージに設定されたＭＡＣアドレスと工場出荷時のＭＡＣアドレス３２と比較し、それらが等しいか否かを判定する（Ｓ２−５）。等しい場合に認証成立（ＯＫ）と判定し、無線基地局制御装置３内のアドレス空塞管理表３３を検索し、空状態の基地局識別番号（ＢＳ−ＩＤ）の１つを抽出し、該基地局識別番号（ＢＳ−ＩＤ）を塞状態（使用中）に書き替える（Ｓ２−６）。
【００２０】
無線基地局制御装置３は、アドレス空塞管理表３３で塞状態（使用中）に書き替えた基地局識別番号（ＢＳ−ＩＤ）のＩＰアドレス及びＭＡＣアドレス、並びに基地局設定情報である構成（ＢＳｃｏｎｆｉｇ）データ３４を、無線基地局装置１＃３にダウンロードし（Ｓ２−７）、無線基地局装置１＃３は、該ＩＰアドレス及びＭＡＣアドレス１２並びに構成（ＢＳｃｏｎｆｉｇ）データ１３を自装置内の記憶部に設定する（Ｓ２−８）。
【００２１】
その後、無線基地局制御装置３は、無線基地局装置１＃３に対してリセット指示メッセージを送信し、無線基地局装置１＃３は、該リセット指示により、構成（ＢＳｃｏｎｆｉｇ）データ１３を運用データに反映させる（Ｓ２−９）。これにより、無線基地局装置１＃３は無線基地局制御装置３と接続され、運用状態となる（Ｓ２−１０）。
【００２２】
次に第２の実施形態について説明する。第２の実施形態のデータ構成例は図１に示したものと同様であるとする。第２の実施形態の処理シーケンスを図３に示す。無線基地局制御装置３は、工場出荷時に各無線基地局装置１に設定されるＩＰアドレス３１を用い、ＡＲＰ（Address Resolution Protocol）リクエストコマンドを繰り返し送信する（Ｓ３−１）。
【００２３】
既に接続済みの無線基地局装置１＃１，＃２は、上記ＡＲＰリクエストコマンドに設定されたＩＰアドレスが自装置の個別のＩＰアドレスではないため、該ＡＲＰリクエストコマンドには応答せず、該ＡＲＰリクエストコマンドを破棄する。
【００２４】
新たに増設される無線基地局装置１＃３は、アクセス・サービス・ネットワーク（ＡＳＮ）２に接続された際に、上述のＡＲＰリクエストコマンドを受信し、該ＡＲＰリクエストコマンドに対する応答メッセージを無線基地局制御装置３に返送する（Ｓ３−２）。
【００２５】
無線基地局装置１＃３からＡＲＰリクエスト応答メッセージを受信した無線基地局制御装置３は、工場出荷時の基地局ＩＰアドレス３１を用いて、無線基地局装置１＃３に対して認証要求メッセージを送信する（Ｓ３−３）。無線基地局装置１＃３は、該認証要求メッセージに対して、工場出荷時に設定されたＭＡＣアドレスを設定した認証応答メッセージを無線基地局制御装置３に返送する（Ｓ３−４）。
【００２６】
無線基地局制御装置３は、返送された認証応答メッセージに設定されたＭＡＣアドレスと工場出荷時のＭＡＣアドレス３２とを比較し、両者が等しいか否かを判定する（Ｓ３−５）。等しい場合に認証成立（ＯＫ）と判定し、無線基地局制御装置３内のアドレス空塞管理表３３を検索し、空状態の基地局識別番号（ＢＳ−ＩＤ）の１つを抽出し、該基地局識別番号（ＢＳ−ＩＤ）を塞状態（使用中）に書き替える（Ｓ３−６）。
【００２７】
無線基地局制御装置３は、アドレス空塞管理表３３で塞状態（使用中）に書き替えた基地局識別番号（ＢＳ−ＩＤ）のＩＰアドレス及びＭＡＣアドレス、並びに基地局設定情報である構成（ＢＳｃｏｎｆｉｇ）データ３４を、無線基地局装置１＃３にダウンロードし（Ｓ３−７）、無線基地局装置１＃３は、該ＩＰアドレス及びＭＡＣアドレス１２並びに構成（ＢＳｃｏｎｆｉｇ）データ１３を自装置内の記憶部に設定する（Ｓ３−８）。
【００２８】
その後、無線基地局制御装置３は、無線基地局装置１＃３に対してリセット指示メッセージを送信し、無線基地局装置１＃３は、該リセット指示により、構成（ＢＳｃｏｎｆｉｇ）データ１３を運用データに反映させる（Ｓ３−９）。これにより、無線基地局装置１＃３は無線基地局制御装置３と接続され、運用状態となる（Ｓ３−１０）。
【００２９】
次に第３の実施形態について説明する。第３の実施形態のデータ構成例を図４に示す。第３の実施形態では無線基地局装置１の記憶部に、第１又は第２の実施形態のデータ構成例に加えて、工場出荷時に認証情報１４（例．ＢＳ−！”＃＄％’（））を一律に設定しておく。また、無線基地局制御装置３の記憶部には、第１又は第２の実施形態のデータ構成例に加えて、工場出荷時に無線基地局装置１に一律に設定される認証情報３５（例．ＢＳ−！”＃＄％’（））を格納する。
【００３０】
第３の実施形態の処理シーケンスを図５に示す。無線基地局制御装置３は、第１又は第２の実施形態で説明したピングコマンド又はＡＲＰリクエストコマンドを繰り返し送信し、その応答により新たな無線基地局１＃３の設置を確認する（Ｓ５−１）。該確認の後、無線基地局制御装置３は、工場出荷時の基地局ＩＰアドレス３１を用い、無線基地局装置１＃３に対して認証要求メッセージを送信する（Ｓ５−２）。
【００３１】
無線基地局装置１＃３は、工場出荷時に設定された認証情報１４（例．ＢＳ−！”＃＄％’（））を含む認証応答メッセージを生成し、該認証応答メッセージを無線基地局制御装置３に返送する（Ｓ５−３）。無線基地局制御装置３は、該認証応答メッセージに設定された認証情報１４が、自装置に格納された認証情報３５（例．ＢＳ−！”＃＄％’（））と比較し、等しいか否かを判定する。
【００３２】
等しい場合に認証成立（ＯＫ）と判定し、無線基地局制御装置３内のアドレス空塞管理表３３を検索し、空状態の基地局識別番号（ＢＳ−ＩＤ）の１つを抽出し、該基地局識別番号（ＢＳ−ＩＤ）を塞状態（使用中）に書き替える（Ｓ５−４）。無線基地局制御装置３は、アドレス空塞管理表３３で塞状態（使用中）に書き替えた基地局識別番号（ＢＳ−ＩＤ）のＩＰアドレス及びＭＡＣアドレス、並びに基地局設定情報である構成（ＢＳｃｏｎｆｉｇ）データ３４を、無線基地局装置１＃３にダウンロードし（Ｓ５−５）、無線基地局装置１＃３は、該ＩＰアドレス及びＭＡＣアドレス１２並びに構成（ＢＳｃｏｎｆｉｇ）データ１３を自装置内の記憶部に設定する（Ｓ５−６）。
【００３３】
その後、無線基地局制御装置３は、無線基地局装置１＃３に対してリセット指示メッセージを送信し、無線基地局装置１＃３は、該リセット指示により、構成（ＢＳｃｏｎｆｉｇ）データ１３を運用データに反映させる（Ｓ５−７）。これにより、無線基地局装置１＃３は無線基地局制御装置３と接続され、運用状態となる（Ｓ５−８）。
【００３４】
次に第４の実施形態について説明する。第４の実施形態のデータ構成例を図６に示す。第４の実施形態では無線基地局制御装置３の記憶部に、第１又は第２の実施形態のデータ構成例に加えて、ｐｉｎｇコマンド又はＡＲＰリクエストコマンドの送信契機の時刻情報３６を格納する。ここで、ｐｉｎｇコマンド又はＡＲＰリクエストコマンドの繰り返し送信を開始する時刻をｘｘ：ｘｘ、終了する時刻をｙｙ：ｙｙとする。
【００３５】
第４の実施形態の処理シーケンスを図７に示す。無線基地局制御装置３には、第１又は第２の実施形態におけるｐｉｎｇコマンド又はＡＲＰリクエストコマンドを繰り返し送信する動作の開始時刻及び終了時刻の送信契機の時刻情報（スケジュール情報）を登録する（Ｓ７−１）。
【００３６】
無線基地局制御装置３は、前述の開始時刻ｘｘ：ｘｘになったとき、工場出荷時に各無線基地局装置１に設定される共通のＩＰアドレス３１を用いて、ｐｉｎｇコマンド又はＡＲＰリクエストコマンドの送信を開始する（Ｓ７−２）。無線基地局制御装置３は、装置内部のシステム時計の現在時刻と上述の終了時刻ｙｙ：ｙｙとを比較し、現在時刻が該終了時刻に達したか否かを判定する（Ｓ７−３）。現在時刻が該終了時刻ｙｙ：ｙｙになるまで、上述のｐｉｎｇコマンド又はＡＲＰリクエストコマンドの再送を継続する。
【００３７】
無線基地局制御装置３は、現在時刻が該終了時刻ｙｙ：ｙｙになったとき、上述のｐｉｎｇコマンド又はＡＲＰリクエストコマンドの再送を停止し（Ｓ７−４）、再度、開始時刻ｘｘ：ｘｘの到来を待ち、開始時刻ｘｘ：ｘｘになったとき、ｐｉｎｇコマンド又はＡＲＰリクエストコマンドの送信を開始する（Ｓ７−５）。
【００３８】
新たに増設された無線基地局装置１＃３は、上述のｐｉｎｇコマンド又はＡＲＰリクエストコマンドに対して応答メッセージを無線基地局制御装置３に返送する（Ｓ７−６）。これ以降の処理は、第１〜第３の実施形態の何れかを適用して認証要求から運用状態の設定までの処理を実施する（Ｓ７−７）。この実施形態では、無限回再送するｐｉｎｇコマンド又はＡＲＰリクエストコマンドを、スケジュール情報として登録した所定の時間帯にのみ送信することとなり、アクセス・サービス・ネットワーク（ＡＳＮ）２へのトラフィック負荷を軽減することができる。
【００３９】
次に第５の実施形態について説明する。第５の実施形態の処理シーケンスを図８に示す。この実施形態は、無線基地局制御装置３に対して、第１又は第２の実施形態におけるｐｉｎｇコマンド又はＡＲＰリクエストコマンドを繰り返し送信する動作の契機を、保守管理（Ｏ＆Ｍ）端末９からのコマンドにより設定するものである。
【００４０】
図８に示すように、無線基地局制御装置３に対して保守管理（Ｏ＆Ｍ）端末９から、上述のｐｉｎｇコマンド又はＡＲＰリクエストコマンドを繰り返し送信する動作の開始をコマンド投入により設定する（Ｓ８−１）。無線基地局制御装置３は、該コマンドの投入により、上述のｐｉｎｇコマンド又はＡＲＰリクエストコマンドを無限回繰り返し送信する（Ｓ８−２）。
【００４１】
無線基地局装置１＃３が増設されると、該無線基地局装置１＃３は、上述のｐｉｎｇコマンド又はＡＲＰリクエストコマンドを受信したとき、その応答メッセージを無線基地局制御装置３に返送する（Ｓ８−３）。以降の処理は、第１〜第３の実施形態の何れかを適用して認証要求から運用状態の設定までの処理を実施する（Ｓ８−４）。無線基地局制御装置３からは、次の増設無線基地局装置を検出するために、上述のｐｉｎｇコマンド又はＡＲＰリクエストコマンドが無限に再送される（Ｓ８−５）。
【００４２】
無線基地局制御装置３に保守管理（Ｏ＆Ｍ）端末９から、上述のｐｉｎｇコマンド又はＡＲＰリクエストコマンドの送信動作の停止をコマンド投入により設定する（Ｓ８−６）。この停止コマンドの投入により、無線基地局制御装置３は、上述のｐｉｎｇコマンド又はＡＲＰリクエストコマンドの送信を停止する（Ｓ８−７）。
【００４３】
この実施形態でも、無限回再送するｐｉｎｇコマンド又はＡＲＰリクエストコマンドを、コマンド投入により設定した期間にのみ送信することとなり、アクセス・サービス・ネットワーク（ＡＳＮ）２へのトラフィック負荷を軽減することができる。
【００４４】
次に第６の実施形態について説明する。第６の実施形態のデータ構成例を図９に示す。第６の実施形態では無線基地局制御装置３の記憶部に、第１又は第２の実施形態のデータ構成例に加えて、ｐｉｎｇコマンド又はＡＲＰリクエストコマンドに対する不応答時間の情報３７を格納する。
【００４５】
この不応答時間の情報３７は、使用中のＩＰアドレスに対して繰り返し送信したｐｉｎｇコマンド又はＡＲＰリクエストコマンドに対して、応答メッセージが返送されない場合に、該不応答時間を各使用中ＩＰアドレス対応に格納したものである。ここで、ｘｘ：ｘｘは不応答検出の開始時刻、ｚｚは不応答時間を監視するための時間情報である。例えば、ｚｚとして、不応答検出開始時刻ｘｘ：ｘｘに所定の閾値を加えた時刻を設定する構成とすることができる。
【００４６】
第６の実施形態の処理シーケンスを図１０に示す。無線基地局装置１＃３が運用状態に設定された後、無線基地局制御装置３は、アドレス空塞管理表３３の中で、塞（使用中）状態の基地局識別番号（ＢＳ−ＩＤ）のＩＰアドレスに対して、定期的にｐｉｎｇコマンドを無限に再送する（Ｓ１０−１）。
【００４７】
無線基地局装置１＃３がアクセス・サービス・ネットワーク（ＡＳＮ）２に接続され、正常に動作していれば、自装置のＩＰアドレス宛ての上記ｐｉｎｇコマンドに対して応答を返送する（Ｓ１０−２）。しかし、無線基地局装置１＃３が、アクセス・サービス・ネットワーク（ＡＳＮ）２から切り離され、又は障害状態となった場合、無線基地局装置１＃３は、自装置に設定したＩＰアドレスを工場出荷時のＩＰアドレス１１に書き替える（Ｓ１０−３）。
【００４８】
この状態で、無線基地局制御装置３から、無線基地局装置１＃３に付与したＩＰアドレスのｐｉｎｇコマンドを送信（Ｓ１０−４）しても、無線基地局装置１＃３からはその応答が返送されない。そこで、無線基地局制御装置３は、該ＩＰアドレスのｐｉｎｇコマンドに対する応答時間のタイムアウトの検出により、不応答の開始時刻情報３７を登録する（Ｓ１０−５）。
【００４９】
無線基地局制御装置３は、無線基地局装置１＃３に付与したＩＰアドレスのｐｉｎｇコマンドを再送し（Ｓ１０−６）、該ｐｉｎｇコマンドに対する応答が無いとき、不応答時間ｚｚを経過したか否かを判定し（Ｓ１０−７）、不応答時間ｚｚを経過した場合、該無線基地局装置１＃３が減設されたと判断する。そして、アドレス空塞管理表３３の中から該ＩＰアドレスを検索し、該当する基地局識別番号（ＢＳ−ＩＤ）の空塞状態を空（未使用）状態に設定し、該ＩＰアドレスに対するｐｉｎｇコマンドの送信を停止する（Ｓ１０−８）。
【００５０】
自装置のＩＰアドレスを工場出荷時のＩＰアドレス１１に書き替えた無線基地局装置１＃３は、再度、アクセス・サービス・ネットワーク（ＡＳＮ）２に正常に接続されたときに、第１〜第３の実施形態による認証要求から運用状態の設定までの処理が実施されることにより、無線基地局制御装置３と再接続される（Ｓ１０−９）。
【００５１】
次に第７の実施形態について説明する。第７の実施形態のデータ構成例を図１１に示す。第７の実施形態では無線基地局制御装置３の記憶部に、第１又は第２の実施形態のデータ構成例に加えて、ｐｉｎｇコマンド又はＡＲＰリクエストコマンドに対する不応答の回数ｘｘ及び不応答回数監視閾値ｚｚの情報３８を格納する。
【００５２】
第７の実施形態の処理シーケンスを図１２に示す。無線基地局装置１が運用状態に設定された後、無線基地局制御装置３は、アドレス空塞管理表３３の中で、塞（使用中）状態の基地局識別番号（ＢＳ−ＩＤ）のＩＰアドレスに対して、定期的にｐｉｎｇコマンドを無限に再送する（Ｓ１２−１）。
【００５３】
無線基地局装置１＃３がアクセス・サービス・ネットワーク（ＡＳＮ）２に接続され、正常に動作していれば、自装置のＩＰアドレス宛ての上記ｐｉｎｇコマンドに対して応答を返送する（Ｓ１２−２）。しかし、無線基地局装置１＃３が、アクセス・サービス・ネットワーク（ＡＳＮ）２から切り離され、又は障害状態となった場合、無線基地局制御装置３から、無線基地局装置１＃３に付与したＩＰアドレスのｐｉｎｇコマンドを送信（Ｓ１２−３）しても、無線基地局装置１＃３からはその応答が返送されない。そこで、無線基地局制御装置３は、該ＩＰアドレスのｐｉｎｇコマンドに対する応答時間のタイムアウトを検出する度に、不応答回数３８を加算し計数する（Ｓ１２−６）。
【００５４】
その後、無線基地局装置１＃３が再設置され、アクセス・サービス・ネットワーク（ＡＳＮ）２に接続された場合、無線基地局制御装置３が無線基地局装置１＃３のＩＰアドレスのｐｉｎｇコマンドを再送したとき（Ｓ１２−７）、無線基地局装置１＃３から、該ｐｉｎｇコマンドに対する応答が返送される（Ｓ１２−８）。
【００５５】
無線基地局制御装置３は、このとき、不応答回数ｘｘが不応答回数監視閾値ｚｚ以上となっているか否かを判定する（Ｓ１２−９）。不応答回数ｘｘが不応答回数監視閾値ｚｚ以上となっている場合、無線基地局制御装置３は、各無線基地局装置１に工場出荷時に一律に設定されるＩＰアドレス３１及びＭＡＣアドレス３２を設定したアドレス初期化要求メッセージを、該無線基地局装置１＃３に送信する（Ｓ１２−１０）。
【００５６】
無線基地局装置１＃３は、上記アドレス初期化要求メッセージ内のＩＰアドレス及びＭＡＣアドレスを用い、自装置内の設定データを初期化する（Ｓ１２−１１）。また、無線基地局制御装置３は、アドレス空塞管理表３３の該当ＩＰアドレスの基地局識別番号（ＢＳ−ＩＤ）を空（未使用）状態に書き換える。
【００５７】
その後、工場出荷時のＩＰアドレス３１によるｐｉｎｇコマンドの送信により、無線基地局装置１＃３の再接続を検出し、第１〜第３の実施形態の何れかを適用して、認証要求から運用状態設定までの処理を実施することにより、無線基地局装置１＃３は、無線基地局制御装置３に再接続される（Ｓ１２−１２）。
【００５８】
この第７の実施形態は、ｐｉｎｇコマンドに対する不応答回数が所定回数以上続いた後に、ｐｉｎｇ応答が返送されたことを基に、無線基地局装置１＃３がＩＰアドレス又はＭＡＣアドレスを何らかの形ですり替えられるなど、不正な操作が施された可能性や、何らかの不具合が発生した可能性に対処するために、正常性に疑いの有る無線基地局装置１＃３に対して、工場出荷状態に戻し、最初から第１〜第３の実施形態の何れかにより、認証処理を行うことができるようにしたものである。
【図面の簡単な説明】
【００５９】
【図１】第１の実施形態のデータ構成例を示す図である。
【図２】第１の実施形態の処理シーケンスを示す図である。
【図３】第２の実施形態の処理シーケンスを示す図である。
【図４】第３の実施形態のデータ構成例を示す図である。
【図５】第３の実施形態の処理シーケンスを示す図である。
【図６】第４の実施形態のデータ構成例を示す図である。
【図７】第４の実施形態の処理シーケンスを示す図である。
【図８】第５の実施形態の処理シーケンスを示す図である。
【図９】第６の実施形態のデータ構成例を示す図である。
【図１０】第６の実施形態の処理シーケンスを示す図である。
【図１１】第７の実施形態のデータ構成例を示す図である。
【図１２】第７の実施形態の処理シーケンスを示す図である。
【図１３】無線基地局と無線基地局制御装置とを含むネットワークの概要を示す図である。
【図１４】無線基地局装置が増設された例を示す図である。
【符号の説明】
【００６０】
１  無線基地局装置
１１  無線基地局装置の工場出荷時のＩＰアドレス及びＭＡＣアドレス
１２  基地局制御装置から付与された個別のＩＰアドレス及びＭＡＣアドレス
１３  回線開設の構成データ
１４  工場出荷時に設定される認証情報
２  アクセス・サービス・ネットワーク
３  無線基地局制御装置
３１  無線基地局装置に工場出荷時に設定されるＩＰアドレス
３２  無線基地局装置に工場出荷時に設定されるＭＡＣアドレス
３３  アドレス空塞管理表
３４  無線基地局装置設定する構成データ
３５  無線基地局装置に工場出荷時に設定される認証情報
３６  ｐｉｎｇコマンド又はＡＲＰリクエストコマンドの送信契機の時刻情報
３７  ｐｉｎｇコマンド又はＡＲＰリクエストコマンドに対する不応答時間の情報
３８  ｐｉｎｇコマンド又はＡＲＰリクエストコマンドに対する不応答回数情報
４  コア・サービス・ネットワーク
５  ホームエージェント
６  認証サーバ
７  サービスプロバイダ装置
【図１】
2010124265.tif 000003
【図２】
2010124265.tif 000004
【図３】
2010124265.tif 000005
【図４】
2010124265.tif 000006
【図５】
2010124265.tif 000007
【図６】
2010124265.tif 000008
【図７】
2010124265.tif 000009
【図８】
2010124265.tif 000010
【図９】
2010124265.tif 000011
【図１０】
2010124265.tif 000012
【図１１】
2010124265.tif 000013
【図１２】
2010124265.tif 000014
【図１３】
2010124265.tif 000015
【図１４】
2010124265.tif 000016